(57)【要約】【課題】光ピックアップヘッドから照射されるレーザ光の光軸を光ディスクの半径方向に傾けることにより、レーザ光による照射幅を広げて描画のコントラストを向上させる。【解決手段】光ディスク１０のレーベル面に絵柄情報を描画する光ディスク装置において、光ディスク１０のレーベル面に対物レンズ１２を通じてレーザ光を照射して絵柄情報を印刷する光ピックアップヘッド１１と、対物レンズ１２の傾きを変えることが可能なアクチュエータ１１ａ（トラッキングアクチュエータ）と、絵柄情報を光ディスク１０のレーベル面に描画する際に、アクチュエータ１１ａによって対物レンズ１２を光ディスク１０の半径方向に傾けて、光ピックアップヘッド１１からレーザ光を照射させるコントローラ２４とを有する。【選択図】      図１
2008251135.tif 000002
【特許請求の範囲】
【請求項１】
光ディスクのレーベル面に絵柄情報を描画する光ディスク装置において、
前記光ディスクのレーベル面に対物レンズを通じてレーザ光を照射して前記絵柄情報を印刷する光ピックアップヘッドと、
前記対物レンズの傾きを変えることが可能なアクチュエータと、
前記絵柄情報を前記光ディスクのレーベル面に描画する際に、前記アクチュエータによって前記対物レンズを前記光ディスクの半径方向に傾けて、前記光ピックアップヘッドからレーザ光を照射させる制御手段と
を具備したことを特徴とする光ディスク装置。
【請求項２】
前記制御手段は、前記対物レンズの傾きが予め設定された角度となるように前記アクチュエータを制御することを特徴とする請求項１記載の光ディスク装置。
【請求項３】
前記制御手段は、前記絵柄情報の濃淡に応じて前記対物レンズの傾き角度を調整するように前記アクチュエータを制御することを特徴とする請求項１記載の光ディスク装置。
【請求項４】
前記光ディスクに対して描画を開始する前に前記光ディスクの種類を識別するディスク識別手段をさらに具備し、
前記制御手段は、前記ディスク識別手段によって識別された光ディスクの種類に応じて、前記対物レンズの傾き角度を調整するように前記アクチュエータを制御することを特徴とする請求項１記載の光ディスク装置。
【発明の詳細な説明】
【技術分野】
【０００１】
本発明は、光ディスクのレーベル面に対して描画（印刷）をすることができる光ディスク装置に関する。
【背景技術】
【０００２】
近年、特殊塗料によりコーティングされた光ディスクのレーベル面に光ピックアップヘッドからのレーザ光を照射することで、レーベル面にユーザが好みの絵柄を描画（印刷）することが可能な光ディスク装置が開発されている。この光ディスク装置において、レーベル面に所望の絵柄を描画する場合、光ディスクのレーベル面を光ピックアップと対向させるように装着される。光ディスク装置は、レーベル面に対して描画可能な比較ディスクであることが認識されると、ホスト装置（パーソナルコンピュータ）から入力される絵柄データに応じて、光ディスクに対してレーザ光を照射することで描画を実行する。
【０００３】
光ピックアップヘッドの対物レンズを傾ける技術として、例えば特許文献１に示すものがある。この特許文献１には、光ディスクにデータを記録する際、記録マークが円形になるように集束ビームを形成して高密度記録再生を可能にする光ヘッドについて記載されている。すなわち、特許文献１の光ヘッドでは、対物レンズアクチュエータの下部に一対の圧電素子を配置し、記録時に差動駆動することにより対物レンズアクチュエータを光ディスクの接線方向に所定角度θだけ傾斜させるものである。この所定角度θのときに、集束ビームが所定の「おむすび」形になるように設定する。この場合、集束ビームが円形であるときに光ディスク面での熱応答特性によって形成される涙滴形の記録マークが円形になるように設定する。記録時は、圧電素子に所定電圧を印加して対物レンズアクチュエータを所定角度だけ傾斜させ、記録マークが円形になるように記録する。再生時は、圧電素子に電圧を印加せずに円形の正常な集束ビームにして再生する。このように、特許文献１の発明では、データの記録／再生時に、対物レンズを光ディスクの接線方向に所定角度θだけ傾斜するもので、レーベル面の描画には適さないものである。
【特許文献１】特開平８−１２４２０２号公報
【発明の開示】
【発明が解決しようとする課題】
【０００４】
従来の光ディスク装置では、光ディスクのレーベル面に対して描画をする際には、光ピックアップヘッドから照射するレーザ光の光軸が光ディスクのレーベル面に対して垂直となるようにして、レーザ光を光ディスクに対して照射している。すなわち、光ディスクに対するレーザ光のビームスポット形状が、ほぼ円形となるようにしている。この場合、照射光強度が最も強くなるが照射幅が狭いために、細い線でしか描画することができなかった。この結果、見た目が薄い絵柄、つまりコントラストが低い画像しか描画することができなかった。
【０００５】
本発明の課題は、光ピックアップヘッドから照射されるレーザ光の光軸を光ディスクの半径方向に傾けることにより、レーザ光による照射幅を広げて描画のコントラストを向上させることが可能な光ディスク装置を提供することにある。
【課題を解決するための手段】
【０００６】
本発明は、光ディスクのレーベル面に絵柄情報を描画する光ディスク装置において、前記光ディスクのレーベル面に対物レンズを通じてレーザ光を照射して前記絵柄情報を印刷する光ピックアップヘッドと、前記対物レンズの傾きを変えることが可能なアクチュエータと、前記絵柄情報を前記光ディスクのレーベル面に描画する際に、前記アクチュエータによって前記対物レンズを前記光ディスクの半径方向に傾けて、前記光ピックアップヘッドからレーザ光を照射させる制御手段とを具備したことを特徴とする。
【発明の効果】
【０００７】
本実施形態における光ディスク装置によれば、絵柄情報を光ディスクのレーベル面に描画する際に、アクチュエータによって対物レンズを光ディスクの半径方向に傾けて光ピックアップヘッドからレーザ光を照射させることにより、コマ収差が発生してレーザ光の照射幅が広くなるので、描画のコントラストを向上させることが可能となり、より鮮明な絵柄を描画することができる。
【発明を実施するための最良の形態】
【０００８】
以下、図面を参照して本発明の実施の形態について説明する。  
図１は、本実施形態における光ディスク装置の構成を示すブロック図である。  
本実施形態における光ディスク装置は、ホスト装置８によってアクセスされる。ホスト装置８は、光ディスクをアクセスするためのアプリケーションプログラムを実行し、必要に応じて光ディスク装置に対してコマンドを出力する。ホスト装置８から光ディスク装置に対して出力されるコマンドには、光ディスク１０に記録されたデータの読み取りを指示するデータ読み取りコマンド、データの読み出しを中断することを指示するアイドルコマンドを含む。また、ホスト装置８は、光ディスク１０のレーベル面に描画を実行するためのアプリケーションプログラムを実行することで、光ディスク装置に装着された光ディスク１０のレーベル面に対する描画処理を実行する。
【０００９】
なお、レーベル面に対して絵柄情報（可視情報）を描画するためには、光ピックアップヘッド１１からレーザ光が照射されることで色素変化が発生する特殊塗料によりコーティングされた描画可能光ディスク１０が用いられる。以下、レーベル面に対して描画が実行される光ディスク１０は、前述した描画可能光ディスク１０であるものとする。
【００１０】
光ディスク１０は、スパイラル状のトラックが形成されている。光ディスク１０は、ディスクモータ３２によって回転される。本実施形態における光ディスク装置では、描画可能光ディスク（Light Scribe Disc）であるが、他の光ディスク（ＣＤ，ＤＶＤ）であっても良い。
【００１１】
光ディスク１０に対するデータの記録、再生は、光ピックアップヘッド（ＰＵＨ）１１から出力されるレーザ光によって行われる。光ピックアップヘッド１１は、送りディスクモータ３２の回転軸に取り付けられた送りねじ２８ａ（スクリュー）によって、光ディスク１０の半径方向に移動されるように支持されている。光ピックアップヘッド１１は、送りディスクモータ３２が回転されることにより、光ディスク１０のデータ読み取り面又はレーベル面と対向しながら移動される。
【００１２】
光ピックアップヘッド１１には、レーザダイオード（半導体レーザ）、コリメータレンズ、ビームスプリッタ、対物レンズ１２、シリンドリカルレンズ、フォトディテクタ、レンズポジションセンサ、モニタダイオード等が含まれている。
【００１３】
また、光ピックアップヘッド１１には、対物レンズ１２を直交する２方向に移動させる２軸アクチュエータ１１ａが設けられている。すなわち、対物レンズ１２をフォーカシング方向（レンズの光軸方向）に移動させてフォーカスを調整するフォーカシングアクチュエータ、対物レンズ１２をトッラキング方向（半径方向）に移動させてトラッキングを調整するトラッキングアクチュエータが設けられている。フォーカシングアクチュエータは、ドライバ２０から出力されるフォーカス駆動信号（フォーカス駆動電圧）により制御され、トラッキングアクチュエータは、ドライバ２２からのトラッキング駆動信号により制御される。また、アクチュエータ１１ａ（トラッキングアクチュエータ）は、光ディスク１０のレーベル面に絵柄情報を印刷する際に、対物レンズ１２を光ディスク１０の半径方向に傾けるために使用される。
【００１４】
なお、本実施形態の光ディスク装置に設けられるトラッキングアクチュエータは、トラッキングのために必要な傾斜角度よりも大きな角度で、対物レンズ１２を光ディスク１０の半径方向に傾けることができるように構成されているものとする。
【００１５】
レーザダイオードは、コントローラ２４のレーザ制御部２４ｃによって制御されるＡＰＣ（Auto Power Control）回路３６により駆動され、レーザ光を出力する。レーザダイオードから出力されたレーザ光は、コリメータレンズ、ビームスプリッタ、対物レンズ１２を介して光ディスク１０上に照射される。
【００１６】
なお、レーザダイオードは一つに限らず波長の異なるレーザ光を出力する複数のレーザダイオードを設けても良い。例えば、ＣＤ用の赤外レーザ（波長：７８０ｎｍ）、ＤＶＤ用の赤レーザ（波長：６５０ｎｍ）、ＨＤ−ＤＶＤ用の青レーザ（波長：４０５ｎｍ）のレーザダイオードを設けて、ＡＰＣ回路３６の制御により、何れかのレーザ光を出力させるようにしても良い。
【００１７】
対物レンズ１２は、各レーザに対応する開口数（Numerical Aperture：ＮＡ）を持つ。対物レンズ１２から光ディスク１０の情報記録層又はレーベル面に向かってレーザ光が照射される。
【００１８】
光ディスク１０からの反射光は、対物レンズ１２、ビームスプリッタ、及びシリンドリカルレンズを介して、フォトディテクタに導かれる。フォトディテクタは、例えば４分割されている。４分割されたフォトディテクタにより検知された信号は、電流電圧変換（Ｉ−Ｖ変換）により、所定の電圧値に増幅されてヘッドアンプ１４に出力される。
【００１９】
ＡＰＣ回路３６は、コントローラ２４のレーザ制御部２４ｃの制御に基づいてレーザダイオードを駆動するもので、レーザ出力のオン／オフ、再生時または記録時、さらには光ディスク１０のレーベル面に対する描画時におけるレーザ光の強度を制御する。ＡＰＣ回路３６は、光ピックアップヘッド１１の内部に搭載されたモニタダイオード（図示せず）の出力が所定の値となるように、レーザダイオードに出力する駆動電流を制御する。
【００２０】
ヘッドアンプ１４は、フォトディテクタからの信号を処理して出力するもので、レーザ光のビームスポット中心とトラック中心との誤差を示すトラッキングエラー信号（ＴＥ）、ジャストフォーカスからの誤差を示すフォーカスエラー信号（ＦＥ）、フォトディテクタから出力される信号を加算した全加算信号（ＲＦ信号）などを生成して出力する。
【００２１】
また、ヘッドアンプ１４から出力されるフォーカスエラー信号ＦＥはサーボアンプ１６に出力され、トラッキングエラー信号ＴＥ（ＤＰＤ信号、ＰＰ信号）はサーボアンプ１８に出力される。
【００２２】
サーボアンプ１６は、ヘッドアンプ１４から出力されるフォーカスエラー信号ＦＥに応じてドライバ２０を駆動制御する。そして、ドライバ２０から出力されるフォーカス駆動信号によりフォーカシングアクチュエータは、ジャストフォーカスとなるように光ピックアップヘッド１１を駆動し、光ピックアップヘッド１１から出力されるレーザ光が光ディスク１０の記録膜上に照射される。
【００２３】
サーボアンプ１８は、ヘッドアンプ１４から出力されるトラッキングエラー信号ＴＥに応じてドライバ２２を駆動制御する。そして、ドライバ２２から出力されるトラッキング駆動信号によりトラッキングアクチュエータは、光ピックアップヘッド１１を駆動し、光ピックアップヘッド１１から出力されるレーザ光が光ディスク１０上に形成されたトラック上を常にトレースするようにトラッキングサーボが実行される。
【００２４】
ディスクモータ３２は、例えばスピンドルモータである。ディスクモータ３２には、回転角に応じて信号を発生する周波数発生器（frequency generator（ＦＧ））が設けられる。周波数発生器（ＦＧ）は、例えば固定子の界磁コイルの起電圧、またはローターのマグネットの回転角を検出するホール素子の出力を利用して、回転角に応じたＦＧ信号、例えば１回転に１８個のＦＧ信号を出力する。
【００２５】
分周器３４は、ディスクモータ３２から出力されるＦＧ信号を分周して、例えばディスクモータ３２が１回転したことを示すＦＧ１信号を生成してコントローラ２４に出力する。コントローラ２４の回転制御部２４ａは、ＦＧ１信号と内部の基準周波数を比較し、その誤差に応じてモータ制御回路３０を制御し、ディスクモータ３２を所定の回転数で回転させる。なお、分周器３４は、ＦＧ１信号だけでなく、ディスクモータ３２の複数の回転位置を示すタイミング信号を生成してコントローラ２４の回転制御部２４ａに出力する。
【００２６】
コントローラ２４は、プロセッサやメモリ（ＲＡＭエリア、ＲＯＭエリア等）を含んで構成されるもので、メモリに記憶された各種プログラムをプロセッサにより実行することで装置全体を総合的に制御する。コントローラ２４には、回転制御部２４ａ、ＰＵＨ移動制御部２４ｂ、レーザ制御部２４ｃ、フォーカス制御部２４ｄ、アクチュエータ制御部２４ｅ、描画制御部２４ｆが設けられる。これらの制御部等は、ハードウェアおよび又はソフトウェアで実現される。
【００２７】
回転制御部２４ａは、モータ制御回路３０を介して、ディスクモータ３２の回転を制御する。
【００２８】
ＰＵＨ移動制御部２４ｂは、ドライバ２６を介して送りモータ２８を駆動することで、光ピックアップヘッド１１を光ディスク１０の半径方向に移動させるための制御を行う。送りモータ２８は、例えばステッピングモータとする。送りモータ２８により光ピックアップヘッド１１が光ディスク１０の内周方向に移動され、所定の初期位置に達したことがスイッチ（ＳＷ）２９により検出される。ＰＵＨ移動制御部２４ｂは、スイッチ２９により検出される初期位置から所定のアクセス位置へ光ピックアップヘッド１１の移動を制御する。
【００２９】
例えば、スイッチ２９は、光ディスク１０の半径２５ｍｍの位置を検出するように設定されている。そして、送りモータ２８に取り付けられた送りねじ２８ａ（スクリュー）は、送りモータ２８（ステッピングモータ）が１回転することにより、光ピックアップヘッド１１を例えば３ｍｍ移動させる変速比となっている。この場合、コントローラ２４のＰＵＨ移動制御部２４ｂは、スイッチ２９により光ピックアップヘッド１１の初期位置を検出してから外周方向にｎラック分移動させるために、送りモータ２８をｎ回転させるための駆動信号ＳＬＯをドライバ２６に出力することにより、光ピックアップヘッド１１を所望の位置に移動させることができる。例えば、スイッチ２９により光ピックアップヘッド１１を検出してから送りモータ２８を１回転させると、光ピックアップヘッド１１を光ディスク１０の外周方向に１トラック分移動し、光ディスク１０の中心位置から２８ｍｍの位置に光ピックアップヘッド１１が移動される。
【００３０】
レーザ制御部２４ｃは、ＡＰＣ回路３６を制御して、光ピックアップヘッド１１のレーザダイオードからレーザ光を出力させる。光ピックアップヘッド１１には、光ディスク１０の情報記録層又はレーベル面に向かってレーザ光を出力するためのレーザダイオードが設けられている。レーザ制御部２４ｃは、レーザダイオードからのレーザ光の強度を制御する。
【００３１】
フォーカス制御部２４ｄは、サーボアンプ１６を通じて、光ピックアップヘッド１１から照射されるレーザ光を光ディスク１０にフォーカスするように制御する。
【００３２】
アクチュエータ制御部２４ｅは、光ディスク１０のレーベル面に対して描画をする場合に、対物レンズ１２を光ディスク１０の半径方向に傾けるようにアクチュエータ１１ａ（トラッキングアクチュエータ）を制御する。すなわち、アクチュエータ制御部２４ｅは、サーボアンプ１８、ドライバ２２を介して、対物レンズ１２を描画用の所定の角度で傾けるように、トラッキングアクチュエータに対してトラッキング駆動信号を出力させる。
【００３３】
描画制御部２４ｆは、ホスト装置８から入力される描画データが示す絵柄情報を、光ディスク１０のレーベル面に描画する場合、描画データに応じてレーザ制御部２４ｃを制御する。また、描画制御部２４ｆは、描画データに応じてアクチュエータ制御部２４ｅを制御して、対物レンズ１２の傾け角度を調整する。さらに、描画制御部２４ｆは、例えば、描画データが示す絵柄の濃淡を判別し、この濃淡に応じてアクチュエータ制御部２４ｅによる対物レンズ１２の角度を調整することで、光ディスク１０のレーベル面に描画される絵柄において濃淡を表現する。
【００３４】
図２及び図３は、対物レンズ１２の傾きと、光ディスク１０に照射されるレーザ光の強度分布を説明するための図である。図２は、対物レンズ１２の傾きを０°とした場合について説明するための図であり、図３は、対物レンズ１２を光ディスク１０の半径方向、つまり描画時のビームスポットの進行方向に対して垂直な方向に傾けた場合について説明するための図である。ここでは、光ディスク１０の半径方向として、光ディスク１０の中心に向かった方向としている。
【００３５】
図２（ａ）に示すように、対物レンズ１２の傾きを０°（レーザ光の光軸が光ディスク１０の面に対して垂直）とした場合には、対物レンズ１２を介して光ディスク１０に照射されるレーザ光の強度分布は図２（ｂ）に示すようになる。すなわち、ビームスポットの形状がほぼ円形となり、図２（ｃ）に示すように、光照射強度がビームスポットの中心に集中し、ビームスポットサイズ（照射幅）が狭くなる。
【００３６】
一方、図３（ａ）に示すように、対物レンズ１２を光ディスク１０の半径方向に傾けた場合には、コマ収差が発生するために、対物レンズ１２を介して光ディスク１０に照射されるレーザ光の強度分布は図３（ｂ）（ｃ）に示すようになる。すなわち、ビームスポットの幅が進行方向（光ディスク１０の周方向）に対して、図２（ｂ）（ｃ）に示す対物レンズ１２の傾きがない場合よりも広くなっている。
【００３７】
こうして、対物レンズ１２を傾けることによってコマ収差を発生させて、レーザ光の照射幅を広げることができる。この場合、レーザ光によってレーベル面に描画する際の線幅が広くなり、絵柄のコントラスト（明暗比）を高くすることができる。
【００３８】
図４は、対物レンズ１２の傾きを０°とした時を基準として、対物レンズ１２を傾けた時の照射強度比、照射幅比（光ディスク１０の半径方向）、照射幅比（光ディスク１０の円周方向）の変化を示している。
【００３９】
図４に示すように、対物レンズ１２を半径方向に傾ける角度が大きくなるほど、半径方向の照射幅が広がっている。なお、光ディスク１０のレーベル面に描画する際の対物レンズ１２の傾きは、図４に示す範囲に限られるものではない。描画時の対物レンズ１２の傾きについては、光ディスク１０のレーベル面にコーティングされた特殊塗料の特性、描画時に光ピックアップヘッド１１から照射されるレーザ光の強度、あるいはレーザ光の種類（赤外レーザ、赤レーザ、青レーザ）などの関係に基づいて、描画に適切な角度が予め設定されているものとする。アクチュエータ制御部２４ｅは、この予め設定された角度に応じて、描画時の対物レンズ１２の傾きを制御する。
【００４０】
また、光ディスク１０の種類によりレーベル面にコーティングされた特殊塗料の特性が異なる場合には、光ディスク１０の種類別に描画時の対物レンズ１２の傾きを設定するようにしても良い。この場合、描画を開始する前に初期化処理として光ディスク１０の種類（例えば、メディアＩＤ（各製造元の製品種類別ＩＤ））を識別し、この識別された光ディスク１０の種類に応じた角度に対物レンズ１２を傾ける。これにより、光ディスク１０の種類に応じた最適な照射幅に調整されたレーザ光を用いて描画することができる。
【００４１】
次に、本実施形態の光ディスク装置において光ディスク１０のレーベル面に対して描画する場合の動作について説明する。  
まず、コントローラ２４は、ホスト装置８から光ディスク１０のレーベル面に描画する絵柄の情報（描画データ）を取り込み、一旦、バッファメモリ（図示せず）に格納する。
【００４２】
光ディスク装置は、レーベル面が下向き（光ピックアップヘッド１１と対向する側）となるように光ディスク１０がセットされると、この光ディスク１０に対する初期化処理を実行する。コントローラ２４（回転制御部２４ａ）は、モータ制御部３０によりディスクモータ３２を回転させる。また、コントローラ２４（レーザ制御部２４ｃ）は、ＡＰＣ回路３６により光ピックアップヘッド１１からレーザ光を照射させて初期化処理を実行する。初期化処理では、レーベル面の最内周部に設けられた、メディアに関する情報が記録された領域から各種の情報を読み取る。初期化処理によって読み取られる情報には、レーザ光により描画が可能な光ディスクであることを示す情報や、光ディスク１０の種類などが含まれるものとする。
【００４３】
ここで、レーザ光により印刷が可能な光ディスクであることを示す情報が読み取られた場合、コントローラ２４は、ホスト装置８からの印刷開始待ち状態となる。
【００４４】
ここで、ホスト装置８は、ユーザから光ディスク１０におけるレーベル面への印刷実行が指示されると、光ディスク装置に対して印刷開始のコマンドを出力する。
【００４５】
コントローラ２４のＰＵＨ移動制御部２４ｂは、印刷開始のコマンドを受信すると、描画データに応じて、描画の開始位置に該当する半径位置まで光ピックアップヘッド１１を移動させる。なお、光ピックアップヘッド１１の位置決めは、上述したように例えば光ピックアップヘッド１１をスイッチ２９により検出される初期位置に移動して、送りモータ２８の回転量によって光ピックアップヘッド１１を移動することができる。
【００４６】
また、コントローラ２４の描画制御部２４ｆはバッファメモリに記憶された描画データをもとにレーザ制御部２４ｃとアクチュエータ制御部２４ｅを制御する。これにより、レーザ制御部２４ｃは、ＡＰＣ回路３６を介して光ピックアップヘッド１１から描画用のレーザ光を光ディスクのレーベル面に照射する。また、アクチュエータ制御部２４ｅは、アクチュエータ１１ａ（トラッキングアクチュエータ）を駆動して、対物レンズ１２を描画用に予め設定された角度（光ディスク１０の半径方向）に傾ける。
【００４７】
なお、初期化処理で読み取った情報（メディアＩＤなど）に応じて、光ピックアップヘッド１１から照射するレーザ光の強度、対物レンズ１２の傾きを設定するようにしても良い。
【００４８】
そして、描画制御部２４ｆはＰＵＨ移動制御部２４ｂを駆動して、光ピックアップヘッド１１を描画データの絵柄が印刷される範囲で光ディスク１０の内周側から外周方向に移動させながら、レーザ制御部２４ｃによって光ピックアップヘッド１１からレーザ光を照射させ、回転される光ディスク１０のレーベル面に絵柄を印刷する。
【００４９】
光ピックアップヘッド１１から照射されるレーザ光は、対物レンズ１２が半径方向に傾けられていることから照射幅が広く、対物レンズ１２の傾きが０°の場合よりも太い線を描画することができる。
【００５０】
なお、描画制御部２４ｆは、描画を実行する際に、描画データに応じて対物レンズ１２の傾きを制御して、絵柄の濃淡を表現するようにしても良い。
【００５１】
図５は、描画データに応じて対物レンズ１２の傾きを制御する描画（濃淡）制御処理を示すフローチャートである。
【００５２】
描画制御部２４ｆは、描画の対象とする描画データを読み込み（ステップＡ１）、絵柄（印刷画像）の濃淡を判別する。なお、描画データは、階調（濃淡）を表すデータであるものとする。
【００５３】
描画制御部２４ｆは、描画データについて判別された絵柄（画像）の濃淡に応じて、アクチュエータ制御部２４ｅによってアクチュエータ１１ａ（トラッキングアクチュエータ）を駆動し、対物レンズ１２の傾きを変更する。すなわち、レーザ光の照射強度や照射時間が一定として絵柄の淡い（薄い）部分を描画する場合には、対物レンズ１２の傾きを０°に近づけることにより描画される線を細くし、絵柄の濃い部分を描画する場合には、対物レンズ１２の傾きを大きくすることにより描画される線を太くする。
【００５４】
描画制御部２４ｆは、描画データの全てについて描画が終了するまで、前述と同様に絵柄の濃淡に応じて対物レンズ１２の傾きを調整しながら、光ピックアップヘッド１１からレーザ光を照射させる（ステップＡ４）。
【００５５】
このようにして、光ディスク１０のレーベル面に描画する場合に、対物レンズ１２を光ディスク１０の半径方向に傾ける角度を調整することで濃淡のある絵柄を描画することが可能となる。
【００５６】
なお、前述した説明では、光ディスク１０のレーベル面に対して描画をする際に、対物レンズ１２を光ディスク１０の半径方向に傾けるとしているが、光ディスク１０の中心方向に傾けるだけでなく、光ディスク１０の外周方向に傾けるようにしても良い。
【００５７】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００５８】
【図１】本実施形態における光ディスク装置の構成を示すブロック図。
【図２】対物レンズ１２の傾きを０°とした場合の光ディスク１０に照射されるレーザ光の強度分布を説明するための図。
【図３】対物レンズ１２の傾きと光ディスク１０の半径方向に傾けた場合の光ディスク１０に照射されるレーザ光の強度分布を説明するための図。
【図４】対物レンズ１２の傾きを０°とした時を基準として、対物レンズ１２を傾けた時の照射強度比、照射幅比（光ディスク１０の半径方向）、照射幅比（光ディスク１０の円周方向）の変化を示す図。
【図５】描画データに応じて対物レンズ１２の傾きを制御する描画（濃淡）制御処理を示すフローチャート。
【符号の説明】
【００５９】
８…ホスト装置、１０…光ディスク、１１…光ピックアップヘッド（ＰＵＨ）、１２…対物レンズ、１４…ヘッドアンプ、１６，１８…サーボアンプ、２０，２２，２６…ドライバ、２４…コントローラ、２４ａ…回転制御部、２４ｂ…ＰＵＨ移動制御部、２４ｃ…レーザ制御部、２４ｄ…フォーカス制御部、２４ｅ…アクチュエータ制御部、２４ｆ…描画制御部、２８…送りモータ、２９…スイッチ（ＳＷ）、３０…モータ制御回路、３２…ディスクモータ、３４…分周器、３６…ＡＰＣ回路。
【図１】
2008251135.tif 000003
【図２】
2008251135.tif 000004
【図３】
2008251135.tif 000005
【図４】
2008251135.tif 000006
【図５】
2008251135.tif 000007